(57)【要約】【課題】検出器の端部チャネルの外側へ被検体がはみ出している場合でも、従来より正常なＣＴ画像を作成する。【解決手段】端部チャネル（１）の外側へ被検体がはみ出している場合、端部近傍チャネルの投影データ（ｄｎ）を基にして端部チャネル（１）の外側の投影データ（ｄａ）を作成し、この補正した投影データを基にＣＴ画像を生成する。【効果】実際のＦＯＶ（Ｆｉｅｌｄ　Ｏｆ　Ｖｉｅｗ）よりも大きなＦＯＶのＣＴ画像を作成することが出来る。【選択図】図６
2004065706.tif 000002
【特許請求の範囲】
【請求項１】
端部チャネルの外側へ被検体がはみ出している場合、端部近傍チャネルの投影データを基にして端部チャネルの外側の投影データを作成することを特徴とする投影データ補正方法。
【請求項２】
一方の端部チャネルの外側へ被検体がはみ出しておらず、他方の端部チャネルの外側へ被検体がはみ出している場合、一方の端部チャネル側の投影データを基にして他方の端部チャネルの外側の投影データを作成することを特徴とする投影データ補正方法。
【請求項３】
チャネル軸とビュー軸と投影データ軸とを持つ投影データ空間で両端部チャネルの外側へ被検体がはみ出していない正常ビューと少なくとも一方の端部チャネルの外側へ被検体がはみ出している異常ビューとが存在する場合、投影データ表面が滑らかにつながるという表面連続条件および正常ビューにおけるチャネル−投影データ面での面積から異常ビューにおけるチャネル−投影データ面での面積が大きく外れないという面積条件の下で異常ビューでの端部チャネルの外側の投影データを作成することを特徴とする投影データ補正方法。
【請求項４】
請求項１から請求項３のいずれかに記載の投影データ補正方法において、端部チャネルの投影データを閾値と比較して、被検体が端部チャネルからはみ出しているか否かを判定することを特徴とする投影データ補正方法。
【請求項５】
請求項１から請求項３のいずれかに記載の投影データ補正方法において、端部チャネルより外側に設けられている参照チャネルのデータを基にして、被検体が端部チャネルからはみ出しているか否かを判定することを特徴とする投影データ補正方法。
【請求項６】
請求項１から請求項３のいずれかに記載の投影データ補正方法において、異なるビューでのチャネル−投影データ面での面積を比較して、被検体が端部チャネルからはみ出しているか否かを判定することを特徴とする投影データ補正方法。
【請求項７】
請求項１から請求項６のいずれかに記載の投影データ補正方法により補正した投影データを基にＣＴ画像を生成することを特徴とする画像生成方法。
【請求項８】
Ｘ線管と、一列に並んだ複数のチャネルを持つ検出器と、前記Ｘ線管または前記検出器の少なくとも一方を撮影対象の周りに回転しながら投影データを収集するスキャン手段と、端部チャネルの外側へ被検体がはみ出している場合に端部近傍チャネルの投影データを基にして端部チャネルの外側の投影データを作成する投影データ補正手段と、補正した投影データを基にＣＴ画像を生成する画像生成手段とを具備したことを特徴とするＸ線ＣＴ装置。
【請求項９】
Ｘ線管と、一列に並んだ複数のチャネルを持つ検出器と、前記Ｘ線管または前記検出器の少なくとも一方を撮影対象の周りに回転しながら投影データを収集するスキャン手段と、一方の端部チャネルの外側へ被検体がはみ出しておらず且つ他方の端部チャネルの外側へ被検体がはみ出している場合に一方の端部チャネル側の投影データを基にして他方の端部チャネルの外側の投影データを作成する投影データ補正手段と、補正した投影データを基にＣＴ画像を生成する画像生成手段とを具備したことを特徴とするＸ線ＣＴ装置。
【請求項１０】
Ｘ線管と、一列に並んだ複数のチャネルを持つ検出器と、前記Ｘ線管または前記検出器の少なくとも一方を撮影対象の周りに回転しながら投影データを収集するスキャン手段と、チャネル軸とビュー軸と投影データ軸とを持つ投影データ空間で両端部チャネルの外側へ被検体がはみ出していない正常ビューと少なくとも一方の端部チャネルの外側へ被検体がはみ出している異常ビューとが存在する場合に投影データ表面が滑らかにつながるという表面連続条件および正常ビューにおけるチャネル−投影データ面での面積から異常ビューにおけるチャネル−投影データ面での面積が大きく外れないという面積条件の下で異常ビューでの端部チャネルの外側の投影データを作成する投影データ補正手段と、補正した投影データを基にＣＴ画像を生成する画像生成手段とを具備したことを特徴とするＸ線ＣＴ装置。
【請求項１１】
請求項８から請求項１０のいずれかに記載のＸ線ＣＴ装置において、端部チャネルの投影データを閾値と比較して被検体が端部チャネルからはみ出しているか否かを判定する判定手段を具備したことを特徴とするＸ線ＣＴ装置。
【請求項１２】
請求項８から請求項１０のいずれかに記載のＸ線ＣＴ装置において、端部チャネルより外側に設けられている参照チャネルのデータを基にして被検体が端部チャネルからはみ出しているか否かを判定する判定手段を具備したことを特徴とするＸ線ＣＴ装置。
【請求項１３】
請求項８から請求項１０のいずれかに記載のＸ線ＣＴ装置において、異なるビューでのチャネル−投影データ面での面積を比較して被検体が端部チャネルからはみ出しているか否かを判定する判定手段を具備したことを特徴とするＸ線ＣＴ装置。
【発明の詳細な説明】
【０００１】
【発明の属する技術分野】
本発明は、投影データ補正方法、画像生成方法およびＸ線ＣＴ（Ｃｏｍｐｕｔｅｄ　Ｔｏｍｏｇｒａｐｈｙ）装置に関し、更に詳しくは、被検体が端部チャネルからはみ出した場合の投影データを補正する投影データ補正方法、補正した投影データを基にＣＴ画像を生成する画像生成方法およびＸ線ＣＴ装置に関する。
【０００２】
【従来の技術】
図１１の（ａ）に示すように、検出器２４の両方の端部チャネル１，Ｎよりも外側へ被検体Ｈがはみ出していないビューを正常ビューと呼び、図１２の（ａ）に示すように、検出器２４の一方または両方の端部チャネル１，Ｎよりも外側へ被検体Ｈがはみ出しているビューを異常ビューと呼ぶこととする。
【０００３】
被検体Ｈが楕円状の断面形状を有するため、図１１の（ｂ）に示すように、正常ビューでは、前処理後の投影データは、中央で高い値になり、滑らかに両端で「０」になる。
一方、図１２の（ｂ）に示すように、異常ビューでは、被検体Ｈがはみ出している端部チャネルでは、投影データが「０」にならない。
【０００４】
このように、正常ビューと異常ビューとで投影データは異なるが、従来のＸ線ＣＴ装置では、全ビューが正常ビューであることを前提として処理を行っていた。
【０００５】
【発明が解決しようとする課題】
従来のＸ線ＣＴ装置では、ＣＴ画像を生成するのに用いる全ビューが正常ビューであることを前提としてＣＴ画像を生成していた。
しかし、異常ビューでは被検体Ｈがはみ出している端部チャネルより外側の投影データが欠落しているため、異常ビューを含む場合、正常なＣＴ画像を生成できない問題点があった。
そこで、本発明の目的は、正常なＣＴ画像を生成するために異常ビューの投影データを補正する投影データ補正方法、補正した投影データを基にＣＴ画像を生成する画像生成方法およびＸ線ＣＴ装置を提供することにある。
【０００６】
【課題を解決するための手段】
第１の観点では、本発明は、端部チャネルの外側へ被検体がはみ出している場合、端部近傍チャネルの投影データを基にして端部チャネルの外側の投影データを作成することを特徴とする投影データ補正方法を提供する。
上記第１の観点による投影データ補正方法では、被検体がはみ出している端部近傍チャネルの投影データを基にして端部チャネルの外側の投影データを作成する。これにより、端部チャネルより外側の投影データの欠落を補い、端部チャネルで投影データが急になくなることを回避することが出来るので、従来よりも正常なＣＴ画像を生成可能となる。
上記第１の観点による投影データ補正方法は、１つの異常ビューだけで実施できる利点がある。また、両方の端部チャネルの外側へ被検体がはみ出している場合でも実施できる利点がある。なお、正常ビューも参照して、正常ビューにおけるチャネル−投影データ面での面積から異常ビューにおけるチャネル−投影データ面での面積が大きく外れないという面積条件を加味して端部チャネルの外側の投影データを作成してもよい。
【０００７】
第２の観点では、本発明は、一方の端部チャネルの外側へ被検体がはみ出しておらず、他方の端部チャネルの外側へ被検体がはみ出している場合、一方の端部チャネル側の投影データを基にして他方の端部チャネルの外側の投影データを作成することを特徴とする投影データ補正方法を提供する。
上記第２の観点による投影データ補正方法では、被検体がはみ出していない端部チャネル側の投影データを基にして被検体がはみ出している端部チャネルの外側の投影データを作成する。これにより、端部チャネルより外側の投影データの欠落を補い、端部チャネルで投影データが急になくなることを回避することが出来るので、従来よりも正常なＣＴ画像を生成可能となる。
上記第２の観点による投影データ補正方法は、１つの異常ビューだけで実施できる利点がある。なお、正常ビューも参照して、正常ビューにおけるチャネル−投影データ面での面積から異常ビューにおけるチャネル−投影データ面での面積が大きく外れないという面積条件を加味して端部チャネルの外側の投影データを作成してもよい。
【０００８】
第３の観点では、本発明は、チャネル軸とビュー軸と投影データ軸とを持つ投影データ空間で両端部チャネルの外側へ被検体がはみ出していない正常ビューと少なくとも一方の端部チャネルの外側へ被検体がはみ出している異常ビューとが存在する場合、投影データ表面が滑らかにつながるという表面連続条件および正常ビューにおけるチャネル−投影データ面での面積から異常ビューにおけるチャネル−投影データ面での面積が大きく外れないという面積条件の下で異常ビューでの端部チャネルの外側の投影データを作成することを特徴とする投影データ補正方法を提供する。
上記第３の観点による投影データ補正方法では、チャネル軸とビュー軸と投影データ軸とを持つ３次元的な投影データ空間で連続条件および面積条件から異常ビューでの端部チャネルの外側の投影データを作成する。これにより、端部チャネルより外側の投影データの欠落を補い、端部チャネルで投影データが急になくなることを回避することが出来るので、従来よりも正常なＣＴ画像を生成可能となる。
【０００９】
第４の観点では、本発明は、上記構成の投影データ補正方法において、端部チャネルの投影データを閾値と比較して、被検体が端部チャネルからはみ出しているか否かを判定することを特徴とする投影データ補正方法を提供する。
被検体が端部チャネルからはみ出していない場合、端部チャネルの投影データ（前処理後）は「０」になる。一方、被検体が端部チャネルからはみ出している場合、端部チャネルの投影データ（前処理後）は「０」にならない。
そこで、上記第４の観点による投影データ補正方法では、端部チャネルの投影データ（前処理後）を「０」より大きな閾値と比較することで、被検体が端部チャネルからはみ出しているか否かを判定する。
【００１０】
第５の観点では、本発明は、上記構成の投影データ補正方法において、端部チャネルより外側に設けられている参照チャネルのデータを基にして、被検体が端部チャネルからはみ出しているか否かを判定することを特徴とする投影データ補正方法を提供する。
被検体が端部チャネルからはみ出していない場合、参照チャネルにはＸ線が直接入射する。一方、被検体が端部チャネルからはみ出している場合、被検体が参照チャネルにも被るため参照チャネルにＸ線が直接入射しなくなる。
そこで、上記第５の観点による投影データ補正方法では、参照チャネルのデータにより被検体が端部チャネルからはみ出しているか否かを判定する。
【００１１】
第６の観点では、本発明は、上記構成の投影データ補正方法において、異なるビューでのチャネル−投影データ面での面積を比較して、被検体が端部チャネルからはみ出しているか否かを判定することを特徴とする投影データ補正方法を提供する。
チャネル−投影データ面での面積は、Ｘ線ビーム内の被検体の断面積により決まる。正常ビューでは、Ｘ線ビーム内の被検体の断面積が一定であるため、チャネル−投影データ面での面積も一定になる。ところが、異常ビューでは、Ｘ線ビーム内の被検体の断面積に欠落を生じるため、チャネル−投影データ面での面積は小さくなる。
そこで、上記第６の観点による投影データ補正方法では、チャネル−投影データ面での面積により被検体が端部チャネルからはみ出しているか否かを判定する。
【００１２】
第７の観点では、本発明は、上記構成の投影データ補正方法により補正した投影データを基にＣＴ画像を生成することを特徴とする画像生成方法を提供する。
上記第７の観点による画像生成方法では、端部チャネルより外側の投影データの欠落を補った投影データからＣＴ画像を生成するため、従来よりも正常なＣＴ画像を生成可能となる。
【００１３】
第８の観点では、本発明は、Ｘ線管と、一列に並んだ複数のチャネルを持つ検出器と、前記Ｘ線管または前記検出器の少なくとも一方を撮影対象の周りに回転しながら投影データを収集するスキャン手段と、端部チャネルの外側へ被検体がはみ出している場合に端部近傍チャネルの投影データを基にして端部チャネルの外側の投影データを作成する投影データ補正手段と、補正した投影データを基にＣＴ画像を生成する画像生成手段とを具備したことを特徴とするＸ線ＣＴ装置を提供する。
上記第８の観点によるＸ線ＣＴ装置では、前記第１の観点による投影データ補正方法および前記第７の観点による画像生成方法を好適に実施しうる。
【００１４】
第９の観点では、本発明は、Ｘ線管と、一列に並んだ複数のチャネルを持つ検出器と、前記Ｘ線管または前記検出器の少なくとも一方を撮影対象の周りに回転しながら投影データを収集するスキャン手段と、一方の端部チャネルの外側へ被検体がはみ出しておらず且つ他方の端部チャネルの外側へ被検体がはみ出している場合に一方の端部チャネル側の投影データを基にして他方の端部チャネルの外側の投影データを作成する投影データ補正手段と、補正した投影データを基にＣＴ画像を生成する画像生成手段とを具備したことを特徴とするＸ線ＣＴ装置を提供する。
上記第９の観点によるＸ線ＣＴ装置では、前記第２の観点による投影データ補正方法および前記第７の観点による画像生成方法を好適に実施しうる。
【００１５】
第１０の観点では、本発明は、Ｘ線管と、一列に並んだ複数のチャネルを持つ検出器と、前記Ｘ線管または前記検出器の少なくとも一方を撮影対象の周りに回転しながら投影データを収集するスキャン手段と、チャネル軸とビュー軸と投影データ軸とを持つ投影データ空間で両端部チャネルの外側へ被検体がはみ出していない正常ビューと少なくとも一方の端部チャネルの外側へ被検体がはみ出している異常ビューとが存在する場合に投影データ表面が滑らかにつながるという表面連続条件および正常ビューにおけるチャネル−投影データ面での面積から異常ビューにおけるチャネル−投影データ面での面積が大きく外れないという面積条件の下で異常ビューでの端部チャネルの外側の投影データを作成する投影データ補正手段と、補正した投影データを基にＣＴ画像を生成する画像生成手段とを具備したことを特徴とするＸ線ＣＴ装置を提供する。
上記第１０の観点によるＸ線ＣＴ装置では、前記第３の観点による投影データ補正方法および前記第７の観点による画像生成方法を好適に実施しうる。
【００１６】
第１１の観点では、本発明は、上記構成のＸ線ＣＴ装置において、端部チャネルの投影データを閾値と比較して被検体が端部チャネルからはみ出しているか否かを判定する判定手段を具備したことを特徴とするＸ線ＣＴ装置を提供する。
上記第１１の観点によるＸ線ＣＴ装置では、前記第４の観点による投影データ補正方法を好適に実施しうる。
【００１７】
第１２の観点では、本発明は、上記構成のＸ線ＣＴ装置において、端部チャネルより外側に設けられている参照チャネルの投影データを基にして被検体が端部チャネルからはみ出しているか否かを判定する判定手段を具備したことを特徴とするＸ線ＣＴ装置を提供する。
上記第１２の観点によるＸ線ＣＴ装置では、前記第５の観点による投影データ補正方法を好適に実施しうる。
【００１８】
第１３の観点では、本発明は、上記構成のＸ線ＣＴ装置において、異なるビューでのチャネル−投影データ面での面積を比較して被検体が端部チャネルからはみ出しているか否かを判定する判定手段を具備したことを特徴とするＸ線ＣＴ装置を提供する。
上記第１３の観点によるＸ線ＣＴ装置では、前記第６の観点による投影データ補正方法を好適に実施しうる。
【００１９】
【発明の実施の形態】
以下、図に示す実施の形態により本発明をさらに詳細に説明する。なお、これにより本発明が限定されるものではない。
【００２０】
−第１の実施形態−
図１は、本発明の第１の実施形態にかかるＸ線ＣＴ装置の構成ブロック図である。
このＸ線ＣＴ装置１００は、操作コンソール１と、撮影テーブル１０と、走査ガントリ２０とを具備している。
【００２１】
前記操作コンソール１は、操作者の入力を受け付ける入力装置２と、本発明に係る投影データ補正処理および画像生成処理などを実行する中央処理装置３と、走査ガントリ２０で取得した投影データを収集する投影データ収集バッファ５と、前記投影データから再構成したＣＴ画像を表示するＣＲＴ６と、プログラムや投影データやＸ線ＣＴ画像を記憶する記憶装置７とを具備している。
【００２２】
前記テーブル装置１０は、被検体を乗せて前記走査ガントリ２０のボア（空洞部）に入れ出しするクレードル１２を具備している。クレードル１２は、テーブル装置１０に内蔵するモータで駆動される。
【００２３】
前記走査ガントリ２０は、Ｘ線管２１と、Ｘ線コントローラ２２と、コリメータ２３と、検出器２４と、ＤＡＳ（Ｄａｔａ　Ａｃｑｕｉｓｉｔｉｏｎ　Ｓｙｓｔｅｍ）２５と、被検体の体軸の回りにＸ線管２１などを回転させる回転コントローラ２６と、制御信号などを前記操作コンソール１や撮影テーブル１０とやり取りする制御インタフェース２９とを具備している。
【００２４】
図２は、Ｘ線ＣＴ装置１００の動作の概略の流れを示すフロー図である。
ステップＳ１では、Ｘ線管２１と検出器２４とを撮影対象の周りに回転させながらビュー角度ｖｉｅｗとチャネル番号ｉとで表わされる投影データＤ０（ｖｉｅｗ，ｉ）を収集する。
ステップＳ２では、投影データＤ０（ｖｉｅｗ，ｉ）に対して、前処理（オフセット補正，対数補正，Ｘ線線量補正，感度補正）を行う。
【００２５】
ステップＳ３では、ＣＴ画像の生成に必要な全ビュー（すなわち、３６０゜分のビューまたは「１８０゜分＋ファン角度分」のビュー）が正常ビューならステップＳ５へ進み、１つでも異常ビューが含まれていたらステップＳ４へ進む。
ここで、図１１の（ａ）に示すように、検出器２４の両方の端部チャネル１，Ｎよりも外側へ被検体Ｈがはみ出していないビューを正常ビューと呼び、図１２の（ａ）に示すように、検出器２４の一方または両方の端部チャネル１，Ｎよりも外側へ被検体Ｈがはみ出しているビューを異常ビューと呼ぶ。
あるビューが正常ビューか異常ビューかの判定方法については、図３〜図５を参照して後述する。
【００２６】
ステップＳ４では、異常ビューにおける欠落した投影データを作成する。欠落した投影データの作成方法については、図６〜図９を参照して後述する。
【００２７】
ステップＳ５では、例えばＦＢＰ（Ｆｉｌｔｅｒｄ　Ｂａｃｋ　Ｐｒｏｊｅｃｔｉｏｎ）法により、投影データからＣＴ画像を生成する。
ステップＳ６では、表示に適するようにＣＴ画像に後処理を施す。
ステップＳ７では、ＣＴ画像をＣＲＴ６に表示する。
【００２８】
図３は、あるビューが正常ビューか異常ビューかを判定する閾値法を示す説明図である。
図３の（ａ）に示すように、被検体Ｈが端部チャネル１，Ｎからはみ出していない場合、端部チャネル１およびＮの投影データ（前処理後）は「０」になる。一方、図３の（ｂ）に示すように、被検体Ｈが端部チャネル１およびＮの少なくとも一方からはみ出している場合、端部チャネル１およびＮの少なくとも一方の投影データ（前処理後）は「０」にならない。
そこで、閾値法では、端部チャネル１およびＮの投影データ（前処理後）を「０」より大きな閾値ｔｈと比較し、端部チャネル１およびＮの投影データが両方とも閾値より小さいなら正常ビューと判定し、そうでないなら異常ビューと判定する。
【００２９】
図４は、あるビューが正常ビューか異常ビューかを判定する参照チャネル法を示す説明図である。
図４の（ａ）に示すように、被検体Ｈが端部チャネル１，Ｎからはみ出していない場合、端部チャネル１およびＮの外側に設けられた参照チャネルＲａおよびＲｂにはＸ線が被検体Ｈで遮られずに入射する。一方、図４の（ｂ）に示すように、被検体Ｈが端部チャネルからはみ出している場合、参照チャネルＲａおよびＲｂの少なくとも一方は入射するＸ線が被検体Ｈで遮られる。
そこで、参照チャネル法では、参照チャネルＲａおよびＲｂのデータ（入射Ｘ線強度）を適当な閾値と比較し、参照チャネルＲａおよびＲｂのデータ（入射Ｘ線強度）が両方とも閾値より大きいなら正常ビューと判定し、そうでないなら異常ビューと判定する。
【００３０】
図５は、あるビューが正常ビューか異常ビューかを判定する面積法を示す説明図である。
図５の（ａ）に示すように、被検体Ｈが端部チャネル１，Ｎからはみ出していない場合、投影データ（前処理後）の面積Ａｎは、Ｘ線ビーム内の被検体Ｈの断面積つまり被検体Ｈの全体の断面積で決まる値になる。一方、図５の（ｂ）に示すように、被検体Ｈが端部チャネル１およびＮの少なくとも一方からはみ出している場合、投影データ（前処理後）の面積Ａａは、Ｘ線ビーム内の被検体Ｈの断面積つまり被検体Ｈの一部が欠けた断面積で決まる値になる。すなわち、正常ビューでの面積Ａｎ＞異常ビューでの面積Ａａとなる。
そこで、面積法では、各ビューにおけるチャネル−投影データ面での面積を計算し、最大面積の例えば９５％を閾値とし、各ビューの面積と閾値とを比較し、面積が閾値より大きいなら正常ビューと判定し、そうでないなら異常ビューと判定する。
【００３１】
なお、上記閾値法、参照チャネル法、面積法を適当に組み合わせても良い。
【００３２】
図６は、異常ビューにおける欠落した投影データを作成する補外法を示す説明図である。
図６の（ａ）に示す如き異常ビューの投影データがあった場合、まず、図６の（ｂ）に示すように、検出器２４のチャネルを元の１〜Ｎから１〜Ｎ＋２αに仮想的に拡張し、元の投影データを端部チャネルＮ側へαだけシフトする。つまり、元のチャネル１〜Ｎの両側にαチャネル分を付け足す。次に、図６の（ｃ）に示すように、被検体Ｈがはみ出している端部チャネル１の近傍の端部近傍チャネルの投影データｄｎを基にして補外処理により端部チャネル１の外側の補外投影データｄａを作成する。
補外法は、１つの異常ビューだけで実施できる利点がある。また、両方の端部チャネル１，Ｎの外側へ被検体がはみ出している場合でも実施できる利点がある。
なお、正常ビューにおけるチャネル−投影データ面での面積Ａｎから異常ビューにおけるチャネル−投影データ面での面積Ａｃ（補正後）が大きく外れないという面積条件を加味して、補外により作成した端部チャネル１の外側の補外投影データｄａを修正してもよい。
【００３３】
図７は、異常ビューにおける欠落した投影データを作成する貼付法を示す説明図である。
図７の（ａ）に示す如き異常ビューの投影データがあった場合、まず、図７の（ｂ）に示すように、検出器２４のチャネルを元の１〜Ｎから１〜Ｎ＋２αに仮想的に拡張し、元の投影データを端部チャネルＮ側へαだけシフトする。つまり、元のチャネル１〜Ｎの両側にαチャネル分を付け足す。次に、図７の（ｃ）に示すように、被検体Ｈがはみ出していない側の端部チャネルＮの近傍の端部近傍チャネルの投影データｄｒを、被検体Ｈがはみ出している端部チャネル１の外側に、チャネル方向を逆向きにして貼り付けて貼付投影データｄｃを作成する。
貼付法は、１つの異常ビューだけで実施できる利点がある。ただし、両方の端部チャネル１，Ｎの外側へ被検体がはみ出している場合は実施できない。
なお、正常ビューにおけるチャネル−投影データ面での面積Ａｎから異常ビューにおけるチャネル−投影データ面での面積Ａｃ（補正後）が大きく外れないという面積条件を加味して、補外により作成した端部チャネル１の外側の貼付投影データｄｃを修正してもよい。
【００３４】
図８，図９は、異常ビューにおける欠落した投影データを作成するビュー間フィッティング法を示す説明図である。
まず、図８に示すように、チャネル軸とビュー軸と投影データ軸とを持つ投影データ空間を作成する。図８の例では、ビュー番号０〜３，７〜１２は正常ビューであるが、ビュー番号４〜６は異常ビューであり、端部チャネル１側の投影データが欠落している。
次に、図９に示すように、検出器２４のチャネルを元の１〜Ｎから１〜Ｎ＋２αに仮想的に拡張し、元の投影データを端部チャネルＮ側へαだけシフトする。つまり、元のチャネル１〜Ｎの両側にαチャネル分を付け足す。そして、異常ビュー４〜６で端部チャネル１の投影データが「０」でない部分Ｗを通る等高線Ｅｈを想定する。この等高線Ｅｈは、正常ビュー０〜３，７〜１２では滑らかであり、異常ビュー４〜６では不連続になっている。
そこで、図１０に示すように、等高線Ｅｈが全ビュー０〜１２で滑らかにつながるという等高線連続条件を満たすように、正常ビュー０〜３，７〜１２の区間の等高線Ｅｈから異常ビュー４〜６の区間の等高線Ｅｈ’をフィッティングにより求める。これを適当な間隔の複数の等高線Ｅｈにて行うと、投影データ表面が滑らかにつながるという表面連続条件を満たす投影データを作成できる。
次に、正常ビュー（例えばビュー番号１２）におけるチャネル−投影データ面での面積Ａｎから異常ビュー（例えばビュー番号５）におけるチャネル−投影データ面での面積Ａａが大きく外れないという面積条件を満たすように、表面連続条件を満たす投影データを修正する。
ビュー間フィッティング法は、多くの正常ビューの投影データを基にして異常ビューの欠落したデータを作成するため、信頼性が高い利点がある。
【００３５】
以上のＸ線ＣＴ装置１００によれば、異常ビューの投影データの欠落を補正し、補正した投影データを基にＣＴ画像を生成するため、検出器２４の端部チャネル１，Ｎの外側へ被検体Ｈがはみ出している場合でも、従来より正常なＣＴ画像を作成できる。換言すれば、実際のＦＯＶ（Ｆｉｅｌｄ　Ｏｆ　Ｖｉｅｗ）よりも大きなＦＯＶのＣＴ画像を作成することが出来る。
【００３６】
【発明の効果】
本発明の投影データ補正方法、画像生成方法およびＸ線ＣＴ装置によれば、検出器の端部チャネルの外側へ被検体がはみ出している場合でも、従来より正常なＣＴ画像を作成することが出来る。
【図面の簡単な説明】
【図１】本発明の一実施形態にかかるＸ線ＣＴ装置を示すブロック図である。
【図２】Ｘ線ＣＴ装置の動作を示すフロー図である。
【図３】閾値法による正常ビューと異常ビューの判定を示す説明図である。
【図４】参照チャネル法による正常ビューと異常ビューの判定を示す説明図である。
【図５】面積法による正常ビューと異常ビューの判定を示す説明図である。
【図６】補外法による投影データの補正を示す説明図である。
【図７】貼付法による投影データの補正を示す説明図である。
【図８】チャネル軸とビュー軸と投影データ軸とを持つ投影データ空間を示す説明図である。
【図９】検出器のチャネルを拡張した投影データ空間を示す説明図である。
【図１０】ビュー間フィッティング法による投影データの補正を示す説明図である。
【図１１】正常ビューとその投影データを示す説明図である。
【図１２】異常ビューとその投影データを示す説明図である。
【符号の説明】
１　　　　　　　　　操作コンソール
３　　　　　　　　　中央処理装置
２０　　　　　　　　走査ガントリ
２１　　　　　　　　Ｘ線管
２４　　　　　　　　検出器
【図１】
2004065706.tif 000003
【図２】
2004065706.tif 000004
【図３】
2004065706.tif 000005
【図４】
2004065706.tif 000006
【図５】
2004065706.tif 000007
【図６】
2004065706.tif 000008
【図７】
2004065706.tif 000009
【図８】
2004065706.tif 000010
【図９】
2004065706.tif 000011
【図１０】
2004065706.tif 000012
【図１１】
2004065706.tif 000013
【図１２】
2004065706.tif 000014